(57)【要約】【課題】タンブラの耐久性向上を図れる農作業機を提供する。【解決手段】農作業機１は、耕耘作業をする耕耘体と、整地作業をする整地体４と、この整地体４の接地圧を調整する接地圧調整手段31とを備える。この接地圧調整手段31は、連結ロッド32と、この連結ロッド32を摺動可能に挿通したロッド被挿通体であるタンブラ33とを有する。タンブラ33は、連結ロッド32を構成する金属材料よりも硬い焼入れした金属材料からなる。【選択図】図１
2018186787.tif 000002
【特許請求の範囲】
【請求項１】
耕耘作業をする耕耘体と、
この耕耘体の後方で整地作業をする整地体と、
この整地体の接地圧を調整する接地圧調整手段とを備え、
前記接地圧調整手段は、
連結ロッドと、
この連結ロッドが摺動可能に挿通されたロッド被挿通体とを有し、
前記ロッド被挿通体のうち、少なくとも前記連結ロッドと接触する部分は、前記連結ロッドよりも硬い
ことを特徴とする農作業機。
【請求項２】
ロッド被挿通体は、連結ロッドを構成する金属材料よりも硬い焼入れした金属材料からなる
ことを特徴とする請求項１記載の農作業機。
【請求項３】
ロッド被挿通体は、
連結ロッドが摺動可能に挿通された挿通孔部と、
この挿通孔部に連通した注油孔部とを有する
ことを特徴とする請求項１又は２記載の農作業機。
【請求項４】
注油孔部は、挿通孔部と交差する方向に細長い形状である
ことを特徴とする請求項３記載の農作業機。
【発明の詳細な説明】
【技術分野】
【０００１】
本発明は、接地圧調整手段を備える農作業機に関するものである。
【背景技術】
【０００２】
従来、例えば下記の特許文献１に記載された農作業機が知られている。
【０００３】
この従来の農作業機は、耕耘作業をする耕耘体と、この耕耘体の後方で整地作業をする整地体と、この整地体の接地圧を調整する接地圧調整手段とを備え、この接地圧調整手段は、連結ロッドと、この連結ロッドが摺動可能に挿通されたロッド被挿通体（タンブラ）とを有している。
【先行技術文献】
【特許文献】
【０００４】
【特許文献１】特開２００５−２１８３１６号公報
【発明の概要】
【発明が解決しようとする課題】
【０００５】
しかしながら、従来の農作業機では、接地圧調整手段のロッド被挿通体に関して、連結ロッドが摺動する部材であるにも拘わらず、特に摩耗対策がなされておらず、耐久性が良好であるとはいえない。
【０００６】
本発明は、このような点に鑑みなされたもので、接地圧調整手段のロッド被挿通体の耐久性向上を図ることができる農作業機を提供することを目的とする。
【課題を解決するための手段】
【０００７】
本発明に係る農作業機は、耕耘作業をする耕耘体と、この耕耘体の後方で整地作業をする整地体と、この整地体の接地圧を調整する接地圧調整手段とを備え、前記接地圧調整手段は、連結ロッドと、この連結ロッドが摺動可能に挿通されたロッド被挿通体とを有し、前記ロッド被挿通体のうち、少なくとも前記連結ロッドと接触する部分は、前記連結ロッドよりも硬いものである。
【発明の効果】
【０００８】
本発明によれば、接地圧調整手段のロッド被挿通体の耐久性向上を図ることができる。
【図面の簡単な説明】
【０００９】
【図１】本発明の一実施の形態に係る農作業機の平面図である。
【図２】同上農作業機の側面図（作業時）である。
【図３】同上農作業機の側面図（整地体が最下げ位置）である。
【図４】同上農作業機の側面図（整地体が持上げ固定位置）である。
【図５】同上農作業機の接地圧調整手段の平面図である。
【図６】タンブラを示す図で、（ａ）が正面図、（ｂ）が底面図、（ｃ）が側面図である。
【図７】ストッパ体を示す側面図である。
【発明を実施するための形態】
【００１０】
本発明の一実施の形態について図１ないし図７を参照して説明する。
【００１１】
図中の１は農作業機で、この農作業機１は、例えば走行車であるトラクタ（図示せず）の後部に連結され、そのトラクタの走行により圃場を前方（進行方向）に移動しながら農作業、例えば耕耘整地作業等を行うものである。
【００１２】
農作業機１は、トラクタの後部の３点リンク部（農作業機昇降部）に脱着可能に連結される機体２と、この機体２に回転可能に設けられ耕耘作業をする耕耘体３と、機体２に左右方向の軸（回動支点）５を中心として上下方向に回動可能に設けられ耕耘体３の後方で整地作業する整地体４とを備えている。
【００１３】
機体２は、トラクタの３点リンク部に脱着可能に連結される３点連結部６を有し、この３点連結部６は、マスト７の先端部のトップピン８及び左右のロワピン９等によって構成されている。また、機体２は、トラクタのＰＴＯ軸にジョイントを介して脱着可能に接続される入力軸10を有し、この入力軸10はミッションケース11に回転可能に設けられている。
【００１４】
ミッションケース11には、左右のフレームパイプ12の内端部が取り付けられ、左側のフレームパイプ12にはチェーンケース13が取り付けられ、右側のフレームパイプ12にはブラケット14が取り付けられている。そして、チェーンケース13とブラケット14との間には、入力軸10側からの動力によって回転しながら耕耘作業をする耕耘体３が架設されている。この耕耘体３は、左右方向の回転軸である耕耘軸16と、複数の耕耘爪17とを有している。
【００１５】
また、機体２は、耕耘体３の上方部を覆う耕耘部カバー21を有し、この耕耘部カバー21には複数の蝶番23を介して整地体４が上下回動可能に取り付けられている。そして、整地体４は、整地作業をする整地板（整地体本体）26と、この整地板26の左右両端部に固着された側板27と、この整地板26の背面に立設された背板28とを有している。なお、背板28は、整地板26の左右両側に１対ずつ設けられている。
【００１６】
また、農作業機１は、圃場面に対する整地体４の接地圧を調整する複数（例えば左右２つ）の接地圧調整手段31を備え、この接地圧調整手段31は機体２と整地体４との間に架設されている。そして、接地圧調整手段31は、図５等に示すように、前後方向に細長い円筒状の連結ロッド32と、この連結ロッド32が摺動可能に挿通されたロッド被挿通体であるタンブラ33と、このタンブラ33の前方に位置する第１弾性部材である第１コイルバネ（押えバネ）34と、タンブラ33の後方に位置する第２弾性部材である第２コイルバネ（緩衝バネ）35とを有している。
【００１７】
連結ロッド32は、前端部がフレームパイプ12のコ字枠状のロッド連結部41に連結ピン42を介して回動可能に取り付けられている。連結ロッド32の後端部には、エンドカラー43が取り付けられている。連結ロッド32は、複数の調整用孔部46と、１つの固定用孔部47と、１つの保持用孔部48とを有している。
【００１８】
第１コイルバネ34は、連結ロッド32の外周に配設され、第１ピン51とタンブラ33との間に位置している。第２コイルバネ35は、連結ロッド32の外周に配設され、第２ピン52とタンブラ33との間に位置している。
【００１９】
タンブラ33は、図６に示すような左右方向に軸方向を有する円柱状（略円柱状を含む）のもので、整地体４の背板28に回動可能に取り付けられている。つまり、回動体であるタンブラ33は、背板28の取付孔28aに回動可能に挿通され、止め輪53で抜止めされている。止め輪53は、タンブラ33の止め輪用溝部54に嵌着されている。
【００２０】
また、タンブラ33は、第１コイルバネ34が接触する第１バネ接触面56を前面に有し、かつ、第２コイルバネ35が接触する後側の第２バネ接触面57を後面に有しており、これら各バネ接触面56，57は平面状に形成されている。
【００２１】
さらに、タンブラ33は、連結ロッド32が摺動可能に挿通された前後方向に延びる挿通孔部61と、この挿通孔部61に連通した左右方向に延びる注油孔部62と、挿通孔部61に連通した上下方向に延びる固定用孔部63とを有している。注油孔部62は、挿通孔部61と交差する方向（タンブラ33の軸方向である左右方向）に細長い形状であり、タンブラ33の一側面の中心部から挿通孔部61にわたって形成されている。この注油孔部62のうちタンブラ33の一側面側の部分には、ねじ溝65が形成されている。そして、連結ロッド32とタンブラ33との間の隙間部分（摺動部分）に潤滑油を供給するためのグリースニップル66が注油孔部62のねじ溝65に螺着されている。
【００２２】
ここで、連結ロッド32及びタンブラ33は、いずれも金属製の部品であるが、互いに異なる金属材料からなり、タンブラ33の全体が連結ロッド32よりも硬い。つまり、タンブラ33は、連結ロッド32を構成する金属材料よりも硬い焼入れした金属材料のみからなるものであり、連結ロッド32と接触する部分を含めてその全体が焼入れした金属材料によって構成されている。
【００２３】
具体的には、連結ロッド32を一体に構成する金属材料は、例えばＳＳ４００（１２０〜１４０Ｈｖ）である。他方、タンブラ33を一体に構成する金属材料は、例えば焼入れしたＳ４５Ｃ（ＨＲＣ４０）である。このため、タンブラ33は、連結ロッド32のよりも硬度が高く、摩耗しにくく、耐久性が良好である。
【００２４】
また一方、接地圧調整手段31のタンブラ33には、整地体４を持上げ固定位置（メンテナンス位置）に固定するためのストッパ体71が取り付けられている。このストッパ体71は、図７に示すように、固定用ピンであるストッパピン72と、このストッパピン72を移動させるための操作レバー73とを有している。そして、メンテナンス時において、ストッパピン72がタンブラ33の固定用孔部63及び連結ロッド32の固定用孔部47に挿入されることで、整地体４が所望の持上げ固定位置に位置決め固定される（図４参照）。
【００２５】
次に、農作業機１の作用等を説明する。
【００２６】
トラクタの後部に農作業機１を連結してトラクタを走行させると、図２に示すように、農作業機１はトラクタとともに進行方向へ移動しつつ、耕耘体３が耕耘作業をし、整地体４が整地作業をする。このとき、整地体４は、接地圧調整手段31で調整された接地圧をもって圃場面に接地して整地作業をするが、整地体４が上下回動した際には、タンブラ33は、連結ロッド32の外周面に沿って摺動（接触）しながら整地体４に対して回動支点Ｐを中心として回動する。
【００２７】
また、例えばメンテナンス時等において、作業者は、図４に示すように、整地体４を持上げ固定位置まで持ち上げて、それをストッパ体71のストッパピン72でその持上げ固定位置に固定する。また、互いに摺動する連結ロッド32とタンブラ33との間の隙間部分に潤滑油を供給する際には、作業者は、例えばグリースガン（図示せず）をグリースニップル66に接続して、このグリースニップル66から注油孔部62へ潤滑油を注入する。
【００２８】
そして、農作業機１によれば、接地圧調整手段31は連結ロッド32とこの連結ロッド32が摺動可能に挿通されたタンブラ33とを有し、このタンブラ33が連結ロッド32よりも硬いため、タンブラ33は摩耗しにくく、タンブラ33の耐久性向上を図ることができる。
【００２９】
また、タンブラ33は、連結ロッド32が挿通された挿通孔部61に連通した注油孔部62を有するため、この注油孔部62へ潤滑油を注入することで、潤滑油を連結ロッド32とタンブラ33との間の隙間部分に確実に供給でき、よってタンブラ33の耐久性向上を効果的に図ることができ、しかも、潤滑油により連結ロッド32の動きがスムーズになるので、整地性能の向上も図ることができる。
【００３０】
さらに、タンブラ33の注油孔部62は、挿通孔部61と交差する方向に細長い形状であるため、作業者は側方側から潤滑油を容易に注入できる。
【００３１】
なお、上記一実施の形態では、グリースニップル66をタンブラ33の注油孔部62に取り付けた構成について説明したが、それには限定されず、例えばグリースニップル66を用いずに、潤滑油を注油孔部62に直接供給するようにしてもよい。
【００３２】
また、注油孔部62がタンブラ33の軸方向一方側（左側部分）のみに形成された構成には限定されず、例えば注油孔部62がタンブラ33の軸方向両側に形成された構成等でもよい。
【００３３】
さらに、例えばタンブラ33のうち、連結ロッド32の外周面と接触（摺接）する部分（挿通孔部61の孔周囲部分）のみが、連結ロッド32よりも硬い構成等でもよい。
【００３４】
また、例えば連結ロッド32がＳＳ材からなり、タンブラ33がステンレス材からなる等、材質自体が連結ロッド32よりタンブラ33の方が硬い構成等でもよい。
【００３５】
さらに、タンブラ33の形状は、円柱状には限定されず、例えば直方体状等でもよい。
【００３６】
また、タンブラ33が整地体４の背板28に直接取り付けられた構成には限定されず、例えば背板28に溶接したピンを介してタンブラ33を整地体４の背板28に回動可能に取り付けるようにしてもよい。
【符号の説明】
【００３７】
１    農作業機
３    耕耘体
４    整地体
31    接地圧調整手段
32    連結ロッド
33    ロッド被挿通体であるタンブラ
61    挿通孔部
62    注油孔部
【図１】
2018186787.tif 000003
【図２】
2018186787.tif 000004
【図３】
2018186787.tif 000005
【図４】
2018186787.tif 000006
【図５】
2018186787.tif 000007
【図６】
2018186787.tif 000008
【図７】
2018186787.tif 000009